【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
組織部位を創傷清拭するためのシステムであって、
負圧を前記組織部位に送達するように適合されたマニホルドと、
負圧を負圧源から受け入れるために前記マニホルドおよび前記組織部位を覆う密封空間を形成するように適合されたカバーと、
前記マニホルドと前記組織部位との間に配置されるように適合され、かつ組織対向表面および反対表面であって、それらの間に伸びる複数の穴を含む組織対向表面および反対表面を有するデブリードマン用具であって、前記穴は壁によって互いに分離され、前記壁が、前記組織対向表面と前記反対表面との間に伸びる横断表面であって、前記組織対向表面と共に切れ刃を形成する横断表面を有し、前記穴が、前記密封空間からの負圧の適用および除去に応答して弛緩位置から収縮位置へ前記穴が圧潰することを可能にする穿孔形状係数を有する、デブリードマン用具と
を含む、システムにおいて、
前記切れ刃が、前記デブリードマン用具の前記弛緩位置と前記収縮位置との間の移動に応答して前記組織部位を創傷清拭するように適合されることを特徴とするシステム。
【請求項２】
請求項１に記載のシステムにおいて、前記穴が、前記デブリードマン用具の対称中心線に対して略垂直に前記弛緩位置から前記収縮位置へ圧潰するように適合されることを特徴とするシステム。
【請求項３】
請求項１に記載のシステムにおいて、前記穴が、前記穴を前記弛緩位置から前記収縮位置へ圧潰するように適合された前記穿孔形状係数および筋交角度を有することを特徴とするシステム。
【請求項４】
請求項１に記載のシステムにおいて、
前記穴が、前記弛緩位置から前記収縮位置へ前記穴が圧潰することを可能にする前記穿孔形状係数および筋交角度を有するように適合され、および
前記穴が、前記デブリードマン用具の対称中心線に対して略垂直に前記弛緩位置から前記収縮位置へ圧潰するように適合されることを特徴とするシステム。
【請求項５】
請求項３または４に記載のシステムにおいて、前記筋交角度が約９０度であることを特徴とするシステム。
【請求項６】
請求項３または４に記載のシステムにおいて、前記筋交角度が約９０度未満であることを特徴とするシステム。
【請求項７】
請求項１乃至６の何れか１項に記載のシステムにおいて、前記密封空間に流体を供給するために前記密封空間に流体結合されるように適合された流体源をさらに含むことを特徴とするシステム。
【請求項８】
請求項１乃至７の何れか１項に記載のシステムにおいて、前記複数の穴が約５ｍｍの平均有効直径を有することを特徴とするシステム。
【請求項９】
請求項１乃至８の何れか１項に記載のシステムにおいて、前記複数の穴が２つ以上の平行な列において形成されることを特徴とするシステム。
【請求項１０】
請求項１乃至９の何れか１項に記載のシステムにおいて、各穴の前記穿孔形状係数が約１未満であることを特徴とするシステム。
【請求項１１】
請求項１乃至１０の何れか１項に記載のシステムにおいて、前記デブリードマン用具の厚さが約１５ｍｍであることを特徴とするシステム。
【請求項１２】
請求項１乃至１１の何れか１項に記載のシステムにおいて、前記デブリードマン用具の硬度係数が約５であることを特徴とするシステム。
【請求項１３】
請求項１乃至１１の何れか１項に記載のシステムにおいて、前記デブリードマン用具の硬度係数が約３であることを特徴とするシステム。
【請求項１４】
請求項１乃至１３の何れか１項に記載のシステムにおいて、前記複数の穴の各穴の形状が六角形であることを特徴とするシステム。
【請求項１５】
請求項１乃至１３の何れか１項に記載のシステムにおいて、前記複数の穴の各穴の形状が楕円形であることを特徴とするシステム。
【請求項１６】
請求項１乃至１３の何れか１項に記載のシステムにおいて、前記複数の穴の各穴の形状が円形であることを特徴とするシステム。
【請求項１７】
請求項１乃至１３の何れか１項に記載のシステムにおいて、前記複数の穴の各穴の形状が三角形であることを特徴とするシステム。
【請求項１８】
請求項１乃至１７の何れか１項に記載のシステムにおいて、前記デブリードマン用具が圧縮発泡体を含むことを特徴とするシステム。
【請求項１９】
請求項１乃至１７の何れか１項に記載のシステムにおいて、前記デブリードマン用具がフェルト発泡体を含むことを特徴とするシステム。
【請求項２０】
請求項１乃至１７の何れか１項に記載のシステムにおいて、前記デブリードマン用具が３Ｄスペーサーファブリックを含むことを特徴とするシステム。
【請求項２１】
請求項１乃至１７の何れか１項に記載のシステムにおいて、前記デブリードマン用具が熱可塑性エラストマーを含むことを特徴とするシステム。
【請求項２２】
請求項１乃至１７の何れか１項に記載のシステムにおいて、前記デブリードマン用具が熱可塑性ポリウレタンを含むことを特徴とするシステム。
【請求項２３】
組織部位を創傷清拭するための装置であって、
壁によって互いに分離される複数の穿孔を有する組織界面であって、前記穿孔が、負圧の適用および除去に応答して前記穿孔を弛緩位置から収縮位置へ圧潰するように適合された穿孔形状係数を有する、組織界面
を含む、装置において、
前記壁によって形成された前記穿孔の周辺が、前記組織界面の前記弛緩位置と前記収縮位置との間の移動に応答して前記組織部位を創傷清拭するように適合されることを特徴とする装置。
【請求項２４】
請求項２３に記載の装置において、前記穿孔が、前記組織界面の対称中心線に対して略垂直に前記弛緩位置から前記収縮位置へ圧潰するように適合されることを特徴とする装置。
【請求項２５】
請求項２３に記載の装置において、前記穿孔が、前記穿孔を前記弛緩位置から前記収縮位置へ圧潰するように適合された前記穿孔形状係数および筋交角度を有することを特徴とする装置。
【請求項２６】
請求項２３に記載の装置において、
前記穿孔が、前記穿孔を前記弛緩位置から前記収縮位置へ圧潰するように適合された前記穿孔形状係数および筋交角度を有し、および
前記穿孔が、前記組織界面の対称中心線に対して略垂直に前記弛緩位置から前記収縮位置へ圧潰するように適合されることを特徴とする装置。
【請求項２７】
請求項２４乃至２６の何れか１項に記載の装置において、前記筋交角度が約９０度であることを特徴とする装置。
【請求項２８】
請求項２４乃至２６の何れか１項に記載の装置において、前記筋交角度が約９０度未満であることを特徴とする装置。
【請求項２９】
請求項２３乃至２８の何れか１項に記載の装置において、前記複数の穿孔が約５ｍｍの平均有効直径を有することを特徴とする装置。
【請求項３０】
請求項２３乃至２９の何れか１項に記載の装置において、前記複数の穿孔が２つ以上の平行な列において形成されることを特徴とする装置。
【請求項３１】
請求項２３乃至３０の何れか１項に記載の装置において、各穴の前記穿孔形状係数が約１未満であることを特徴とする装置。
【請求項３２】
請求項２３乃至３１の何れか１項に記載の装置において、前記組織界面の厚さが約１５ｍｍであることを特徴とする装置。
【請求項３３】
請求項２３乃至３２の何れか１項に記載の装置において、前記組織界面の硬度係数が約５であることを特徴とする装置。
【請求項３４】
請求項２３乃至３２の何れか１項に記載の装置において、前記組織界面の硬度係数が約３であることを特徴とする装置。
【請求項３５】
請求項２３乃至３４の何れか１項に記載の装置において、前記複数の穿孔の各穴の形状が六角形であることを特徴とする装置。
【請求項３６】
請求項２３乃至３４の何れか１項に記載の装置において、前記複数の穿孔の各穴の形状が楕円形であることを特徴とする装置。
【請求項３７】
請求項２３乃至３４の何れか１項に記載の装置において、前記複数の穿孔の各穴の形状が円形であることを特徴とする装置。
【請求項３８】
請求項２３乃至３４の何れか１項に記載の装置において、前記複数の穿孔の各穴の形状が三角形であることを特徴とする装置。
【請求項３９】
請求項２３乃至３８の何れか１項に記載の装置において、前記組織界面が圧縮発泡体を含むことを特徴とする装置。
【請求項４０】
請求項２３乃至３８の何れか１項に記載の装置において、前記組織界面がフェルト発泡体を含むことを特徴とする装置。
【請求項４１】
請求項２３乃至３８の何れか１項に記載の装置において、前記組織界面が３Ｄスペーサーファブリックを含むことを特徴とする装置。
【請求項４２】
請求項２３乃至３８の何れか１項に記載の装置において、前記組織界面が熱可塑性エラストマーを含むことを特徴とする装置。
【請求項４３】
請求項２３乃至３８の何れか１項に記載の装置において、前記組織界面が熱可塑性ポリウレタンを含むことを特徴とする装置。
【請求項４４】
組織部位を処置するためのシステムにおいて、
負圧を前記組織部位に送達するように適合され、かつ第１の硬度係数を有するマニホルドと、
負圧源から負圧を受け入れるために前記マニホルドおよび前記組織部位を覆って密封空間を形成するように適合されたカバーと、
前記マニホルドと前記組織部位との間に位置付けられるように適合された組織界面であって、前記第１の硬度係数よりも大きい第２の硬度係数と、壁によって互いに分離される複数の穴とを有する組織界面と
を含むことを特徴とするシステム。
【請求項４５】
請求項４４に記載のシステムにおいて、前記穴が、穿孔形状係数と、前記穴を前記組織界面上にあるパターンで配列する筋交角度とを有することを特徴とするシステム。
【請求項４６】
請求項４５に記載のシステムにおいて、前記筋交角度が約９０度であることを特徴とするシステム。
【請求項４７】
請求項４５に記載のシステムにおいて、前記筋交角度が約９０度未満であることを特徴とするシステム。
【請求項４８】
請求項４５乃至４７の何れか１項に記載のシステムにおいて、各穴の前記穿孔形状係数が約１未満であることを特徴とするシステム。
【請求項４９】
請求項４４乃至４８の何れか１項に記載のシステムにおいて、前記密封空間に流体を供給するために前記密封空間に流体結合されるように適合された流体源をさらに含むことを特徴とするシステム。
【請求項５０】
請求項４４乃至４９の何れか１項に記載のシステムにおいて、前記複数の穴が約５ｍｍの平均有効直径を有することを特徴とするシステム。
【請求項５１】
請求項４４乃至５０の何れか１項に記載のシステムにおいて、前記複数の穴が２つ以上の平行な列において形成されることを特徴とするシステム。
【請求項５２】
請求項４４乃至５１の何れか１項に記載のシステムにおいて、前記組織界面の厚さが約１５ｍｍであることを特徴とするシステム。
【請求項５３】
請求項４４乃至５２の何れか１項に記載のシステムにおいて、前記第２の硬度係数が約５であることを特徴とするシステム。
【請求項５４】
請求項４４乃至５２の何れか１項に記載のシステムにおいて、前記第２の硬度係数が約３であることを特徴とするシステム。
【請求項５５】
請求項４４乃至５４の何れか１項に記載のシステムにおいて、前記複数の穴の各穴の形状が六角形であることを特徴とするシステム。
【請求項５６】
請求項４４乃至５４の何れか１項に記載のシステムにおいて、前記複数の穴の各穴の形状が楕円形であることを特徴とするシステム。
【請求項５７】
請求項４４乃至５４の何れか１項に記載のシステムにおいて、前記複数の穴の各穴の形状が円形であることを特徴とするシステム。
【請求項５８】
請求項４４乃至５４の何れか１項に記載のシステムにおいて、前記複数の穴の各穴の形状が三角形であることを特徴とするシステム。
【請求項５９】
請求項４４乃至５８の何れか１項に記載のシステムにおいて、前記組織界面が圧縮発泡体を含むことを特徴とするシステム。
【請求項６０】
請求項４４乃至５８の何れか１項に記載のシステムにおいて、前記組織界面がフェルト発泡体を含むことを特徴とするシステム。
【請求項６１】
請求項４４乃至５８の何れか１項に記載のシステムにおいて、前記組織界面が３Ｄスペーサーファブリックを含むことを特徴とするシステム。
【請求項６２】
請求項４４乃至５８の何れか１項に記載のシステムにおいて、前記組織界面が熱可塑性エラストマーを含むことを特徴とするシステム。
【請求項６３】
請求項４４乃至５８の何れか１項に記載のシステムにおいて、前記組織界面が熱可塑性ポリウレタンを含むことを特徴とするシステム。